【誤訳訂正書】
【提出日】平成20年2月27日(2008.2.27)
【誤訳訂正１】
【訂正対象書類名】明細書
【訂正対象項目名】全文
【訂正方法】変更
【訂正の内容】
【書類名】  明細書
【発明の名称】  取り込まれたライブ放送チャンネルのインターネットストリーミングに基づいた放送ビデオチャンネルサーフィンシステム
【特許請求の範囲】
【請求項１】
第１のサイトから第２のサイトに放送チャンネルを提供する方法であって、
第１のサイトで、放送品質を有する少なくとも１つの放送チャンネルを入力し、前記少なくとも１つの放送チャンネルを、前記放送品質よりも低減された品質で、ネットワークを介してストリーミングする、入力及びストリーミングステップと、
前記第１のサイトから離れた第２のサイトで、前記ネットワークを介して、前記低減された品質の少なくとも１つの放送チャンネルを受信する受信ステップと、
前記第２のサイトで、前記受信された少なくとも１つの放送チャンネルを前記低減された品質で視聴する視聴ステップと、
を有する方法。
【請求項２】
請求項１に記載の方法において、前記ネットワークが、インターネットネットワークであり、前記入力及びストリーミングステップが、少なくとも１つのインターネットアドレスに対応する少なくとも１つのビデオサーバによって行われる方法。
【請求項３】
請求項２に記載の方法において、前記受信ステップは、前記少なくとも１つのインターネットアドレスにアクセスするステップと、当該インターネットアドレスから前記低減された品質の少なくとも１つの放送チャンネルをダウンロードするステップとを有する方法。
【請求項４】
請求項２に記載の方法において、前記低減された品質の少なくとも１つの放送チャンネルは複数の低減された品質の放送チャンネルを有し、前記受信ステップは、前記少なくとも１つのインターネットアドレスから前記複数の低減された品質の放送チャンネルをマルチキャストするステップを有する方法。
【請求項５】
請求項１に記載の方法において、前記受信ステップは、前記第２のサイトで前記低減された品質の少なくとも１つの放送チャンネルのワイヤレス伝送を受信するステップを有する方法。
【請求項６】
請求項１に記載の方法において、前記少なくとも１つの放送チャンネルは放送テレビジョンチャンネルであり、前記低減された品質はより低いフレーム速度とより低い解像度との内の少なくとも１つである方法。
【請求項７】
請求項１に記載の方法において、前記第２のサイトで前記低減された品質の少なくとも１つの放送チャンネルに対応する補足的な情報を受信するステップを更に有する方法。
【請求項８】
請求項１に記載の方法において、前記低減された品質の少なくとも１つの放送チャンネルは、低減された品質の複数の放送チャンネルを有し、前記視聴ステップは、前記低減された品質の複数の放送チャンネルを前記低減された品質で視聴するステップを有する方法。
【請求項９】
請求項８に記載の方法において、前記視聴ステップは、所定の速度で所定の数の前記低減された品質の複数の放送チャンネルを循環するステップを更に有する方法。
【請求項１０】
第１のサイトから第２のサイトに放送チャンネルを提供するシステムであって、
第１のサイトで、放送品質を有する少なくとも１つの放送チャンネルを入力し、前記少なくとも１つの放送チャンネルを、前記放送品質よりも低減された品質で、ネットワークを介してストリーミングする、入力及びストリーミング手段と、
前記第１のサイトから離れた第２のサイトで、前記ネットワークを介して、前記低減された品質の少なくとも１つの放送チャンネルを受信する受信手段と、
前記第２のサイトで、前記受信された少なくとも１つの放送チャンネルを前記低減された品質で視聴するための視聴手段と、
を有するシステム。
【請求項１１】
請求項１０に記載のシステムにおいて、前記ネットワークが、インターネットネットワークであり、前記入力及びストリーミング手段は、少なくとも１つのインターネットアドレスに対応する少なくとも１つのビデオサーバを有するシステム。
【請求項１２】
請求項１１に記載のシステムにおいて、前記受信手段は、
前記少なくとも１つのインターネットアドレスにアクセスするためのアクセス手段と、当該インターネットアドレスから前記低減された品質の少なくとも１つの放送チャンネルをダウンロードするためのダウンロード手段とを有するシステム。
【請求項１３】
請求項１１に記載のシステムにおいて、前記低減された品質の少なくとも１つの放送チャンネルは低減された品質の複数の放送チャンネルを有し、前記受信手段は前記少なくとも１つのインターネットアドレスから前記低減された品質の複数の放送チャンネルをマルチキャストするマルチキャスト手段を有するシステム。
【請求項１４】
請求項１０に記載のシステムにおいて、前記受信手段は、前記第２のサイトで前記低減された品質の少なくとも１つの放送チャンネルのワイヤレス伝送を受信するワイヤレス受信手段を有するシステム。
【請求項１５】
請求項１０に記載のシステムにおいて、前記低減された品質の少なくとも１つの放送チャンネルは低減された品質の複数の放送チャンネルを有し、前記視聴手段は、前記低減された品質の複数の放送チャンネルを前記低減された品質で視聴するための視聴手段を有するシステム。
【請求項１６】
放送チャンネルを視聴する装置であって、
少なくとも１つの放送チャンネルをネットワークを介して受信する受信手段であって、前記少なくとも１つの放送チャンネルは、遠隔サイトで放送品質で入力され、前記ネットワークを介して、前記放送品質よりも低減された品質でストリーミングされるものである、受信手段と、
前記受信された少なくとも１つの放送チャンネルを前記低減された品質で視聴するための視聴手段と、
を有する装置。
【請求項１７】
請求項１６に記載の装置において、前記受信手段は、少なくとも１つのインターネットアドレスにアクセスするためのアクセス手段と、当該インターネットアドレスから前記少なくとも１つの低減された品質の放送チャンネルをダウンロードするダウンロード手段とを有する装置。
【請求項１８】
請求項１６に記載の装置において、前記受信手段は、前記少なくとも１つの低減された品質の放送チャンネルのワイヤレス伝送を受信するワイヤレス受信手段を有する装置。
【請求項１９】
請求項１６に記載の装置において、前記視聴手段は、前記低減された品質の放送チャンネルを表示するディスプレイである装置。
【請求項２０】
放送チャンネルを提供する装置であって、
放送品質を有する少なくとも１つの放送チャンネルを入力する入力部と、
前記少なくとも１つの放送チャンネルが前記放送品質より低減された品質を有するように処理する処理部と、
遠隔サイトにおいて前記低減された品質の少なくとも１つの放送チャンネルを前記低減された品質で視聴できるようにするために、前記低減された品質の少なくとも１つの放送チャンネルをネットワークを介してストリーミングする出力部と、
を有する装置。
【請求項２１】
請求項２０に記載の装置において、前記ネットワークが、インターネットネットワークであり、前記装置が、少なくとも１つのインターネットアドレスに対応する少なくとも１つのビデオサーバである装置。
【請求項２２】
請求項２１に記載の装置において、前記低減された品質の少なくとも１つの放送チャンネルは低減された品質の複数の放送チャンネルであり、前記ストリーミングが、前記少なくとも１つのインターネットアドレスから前記低減された品質の複数の放送チャンネルをマルチキャストすることを含む装置。
【請求項２３】
請求項２０に記載の装置において、前記少なくとも１つの放送チャンネルは放送テレビジョンチャンネルであり、前記低減された品質はより低いフレーム速度とより低い解像度との内の少なくとも１つである装置。
【請求項２４】
請求項２０に記載の装置において、前記処理部が、前記少なくとも１つの放送チャンネルのキーフレームを識別し、前記キーフレームから、前記低減された品質を有する少なくとも１つの放送チャンネルを形成することを含む装置。
【発明の詳細な説明】
【０００１】
【発明の属する技術分野】
本発明は一般に放送チャンネルを視聴するための装置及び方法に関し、より詳しくは、本発明は、低減された品質でビデオサーバに入力され、視聴するために装置で受信された放送チャンネルを視聴するための装置及び方法に関し、好適には前記装置はワイヤレス通信装置である。
【０００２】
【従来の技術】
テレビジョンにおいて「ピクチャインピクチャ」(PIP)機能を用いて、ある放送チャンネルを見ながら他の放送チャンネルを視聴する権限を視聴者に与えることは、当技術分野において周知である。通常、PIP機能を有するテレビジョンは2つのチューナを必要とし、１つのチューナは視聴されているメインの放送チャンネルを表示し、第２のチューナは視聴されるべき他の放送チャンネルを表示する。通常、第２のチューナからのディスプレイはテレビジョンスクリーンの小さい部分に表示される。
【０００３】
【発明が解決しようとする課題】
PIPの重大な欠点は、PIPがメインのチャンネルの視聴者を妨害し、あるチャンネルが視聴されている間に他のチャンネルをブラウズ（以下、閲覧とする）するのにテレビジョン内に第２のチューナを必要とすることである。加えて、PIPは家の外でのチャンネルの閲覧をサポートしない。従って、当技術分野において、放送チャンネルを遅いフレーム速度及び／又は解像度等、低減された品質で視聴(ここでは代替的に、「サーフィン」又は「閲覧」とも呼ばれる)するための技術の必要性がある。この必要性は、以下のシナリオで特別な重要性を有する：
(1) 第１の人又は人の集団が放送テレビチャンネルを見ている間に、第２の人は(第１の人又は人の集団を妨げないように)ハンドヘルド装置で他のチャンネルを閲覧することができる。
(2) ユーザが該ユーザの家の外にいるときに、該ユーザはワイヤレス接続を通じてPDA又は移動電話でテレビジョンチャンネル又はその他の放送チャンネルを確認することができる。
【０００４】
従って、本発明の１つの目的は、放送チャンネルを閲覧するための方法であって、他のメインのチャンネルが視聴されている状況においても、他のチューナを必要とせずに前記放送チャンネルが閲覧されるような方法を提供することである。
【０００５】
本発明の他の目的は、放送チャンネルを閲覧するための方法であって、他のメインのチャンネルが視聴されている状況であっても、メインのチャンネルの視聴者を妨げないような方法を提供することである。
【０００６】
本発明の更に他の目的は、放送チャンネルを閲覧するための方法であって、他のメインのチャンネルが視聴されている状況であっても、前記閲覧が遠隔で行われることができるような方法を提供することである。
【０００７】
【課題を解決するための手段】
これに応じて、放送チャンネルを視聴するための方法が提供される。当該方法は、第１のサイトで、放送品質よりも低減された品質で少なくとも１つの放送チャンネルを入力するステップと、前記第１のサイトから離れた第２のサイトで、前記少なくとも１つの低減された品質の放送チャンネルを受信するステップと、前記第２のサイトで、前記少なくとも１つの低減された品質の放送チャンネルを視聴するステップと、を有する。
【０００８】
好適には、前記入力するステップは、少なくとも１つのインターネットアドレスに対応する少なくとも１つのビデオサーバに前記少なくとも１つの低減された品質で放送チャンネルを入力するステップを有し、前記受信するステップは、前記少なくとも１つのインターネットアドレスにアクセスするステップと、当該インターネットアドレスから前記少なくとも１つの低減された品質の放送チャンネルをダウンロードするステップを有する。
【０００９】
前記少なくとも１つの低減された品質の放送チャンネルは、好適には複数の低減された品質の放送チャンネルを有し、前記受信するステップは、好適には前記少なくとも１つのインターネットアドレスから前記複数の低減された品質の放送チャンネルをマルチキャストするステップを有する。あるいは、前記受信するステップは、前記第２のサイトで前記少なくとも１つの低減された品質の放送チャンネルのワイヤレス伝送を受信するステップを有する。
【００１０】
前記少なくとも１つの放送チャンネルは好適には放送テレビジョンチャンネルであり、前記低減された品質はより低い速度及び／又はより低い解像度である。
【００１１】
また、放送チャンネルを視聴するシステムが提供される。本システムは、第１のサイトで、放送された品質よりも低減された品質で少なくとも１つの放送チャンネルを入力する入力手段と、第１のサイトから離れた第２のサイトで、前記少なくとも１つの低減された品質の放送チャンネルを受信する受信手段と、前記第２のサイトで、前記少なくとも１つの低減された品質の放送チャンネルを視聴する視聴手段と、を有する。
【００１２】
好適には、前記入力手段は、少なくとも１つのインターネットアドレスに対応するビデオサーバを有し、前記受信手段は、前記少なくとも１つのインターネットアドレスにアクセスするためのアクセス手段と、当該インターネットアドレスから前記少なくとも１つの低減された品質の放送チャンネルをダウンロードするダウンロード手段とを有する。インターネットは、好適にはワイヤレス伝送を介してアクセスされる。
【００１３】
更にまた、放送チャンネルを視聴する装置が提供される。当該装置は、放送された品質よりも低減された品質で、遠隔サイトで前もって入力されていた少なくとも１つの放送チャンネルを受信するための受信手段と、前記少なくとも１つの低減された品質の放送チャンネルを視聴するための視聴手段と、を有する。
【００１４】
好適には、前記受信手段は、前記少なくとも１つのインターネットアドレスにアクセスするためのアクセス手段と、当該インターネットアドレスから前記少なくとも１つの低減された品質の放送チャンネルをダウンロードするダウンロード手段とを有する。好適にはインターネットは、前記第２のサイトでの前記少なくとも１つの低減された品質の放送チャンネルのワイヤレス伝送を介してアクセスされる。前記視聴手段は、好適には、低減された品質の放送テレビジョンチャンネルを表示する前記装置と一体になったディスプレイである。
【００１５】
【発明の実施の形態】
本発明の装置及び方法のこれらの及び他の機能、側面及び利点は、以下の説明、添付の請求項及び添付の図面を参照してよりよく理解されるであろう。
【００１６】
本発明は多くの種々の放送チャンネルに適用可能であるが、特に、放送テレビチャンネルの環境に特に役立つということが分かっている。従って、本発明の放送テレビジョンチャンネルへの適用性を制限することなく、本発明はこのような環境で説明される。
【００１７】
図1をここで参照すると、放送チャンネルを視聴するシステムの好適な実現例が示されており、当該システムは参照番号100によって一般に参照される。当該システム100は、第１のサイトで少なくとも１つの放送チャンネルを入力するための入力手段を有する。好適には、ローカルテレビジョン放送チャンネル(ABC、CBS、NBC、FOX他)及び／又はケーブル放送チャンネル(HBO、DISNEY、ESPN他)等の複数の放送チャンネルが入力される。しかし、テレビジョン放送チャンネルは、例としてのみ示され、本発明の範囲又は精神を制限するようには示されない。例えば、ラジオ放送チャンネルもまた入力されることが可能であり、又は、テレビジョン放送チャンネルのオーディオ成分のみが入力されることもできる。
【００１８】
放送チャンネルがテレビジョン放送チャンネルである場合、好適には入力手段はビデオサーバ102である。従って、テレビジョン放送チャンネルは、ビデオサーバ102に入力される。好適には、ビデオサーバは放送チャンネルを少なくとも１つのインターネットアドレス104に供給する。しかし、多くのインターネットアドレスもまた使用されることができ、各アドレスは所定の数の放送チャンネルに対応するか、又は各アドレスは単一の放送チャンネルに対応する。
【００１９】
前記放送チャンネルは、放送された品質よりも低減された品質でインターネットアドレスに供給される。例えば、放送チャンネルがテレビジョン放送チャンネルである場合、それらは低減されたフレーム速度若しくは低減された解像度、又はその両方で入力されることができる。ビデオ放送チャンネル入力に適当なフィルタを適用すること等によってフレーム速度及び／又は解像度を低下させること等によって放送チャンネルの品質を低減することは、公知技術である。
【００２０】
受信手段は、低減された品質の放送チャンネルを遠隔サイトで受信し、前記遠隔サイトから放送チャンネルが入力される。前記受信手段は、好適にはワイヤレス通信装置106(例えば携帯情報端末(PDA)又は移動電話)である。しかし、インターネットサービスプロバイダ(ISP)112を通じてインターネット110にアクセスするパーソナルコンピュータ108等の他の受信手段が、本発明の範囲又は精神から逸脱することなく使用されることができる。
【００２１】
前記受信手段は、好適にはウェブブラウザ114(図2A及び2B)等の、インターネットアドレス104にアクセスするための手段を備えている。パーソナルコンピュータを通じてインターネット接続を提供することは、公知技術である。更に、PDA又は移動電話等のワイヤレス装置、例えばワイヤレスアプリケーションプロトコル(WAP)を使用したワイヤレス装置を通じてインターネット接続を提供することも当技術分野においてよく知られている。
【００２２】
前記受信手段は、インターネットアドレスから少なくとも１つの低減された品質の放送チャンネルをダウンロードするための、ケーブル若しくは電話線116等の固定線を通じて、又は、アンテナ118若しくは基地局120を介したワイヤレス接続を通じて通信するモデム(図示せず)等の手段も含む。データをダウンロードするためのモデムは、公知技術であるため、ここでは議論されない。内容が第２のサイトによって引かれる「ダウンロード」と内容が第１のサイトによって押される「ストリーミング」との間には技術的な差があるかもしれないが、ここではこれらはデータ転送として同義的に用いられる。
【００２３】
前記受信手段は、好適には、低減された品質を有する放送チャンネルを視聴するためのディスプレイ122及び／又はオーディオ放送チャンネル及び／又はテレビジョン放送チャンネルのオーディオ成分を再生するためのスピーカ123等の視聴手段を有する。受信手段がパーソナルコンピュータ108である場合、ディスプレイ122及びスピーカ123は、コンピュータのモニタ及び内蔵スピーカを有する。受信手段がPDA又は移動電話等のワイヤレス通信装置106である場合、好適にはディスプレイ122及びスピーカ123は、本発明のシステム100専用ではない装置に組み込まれるLCD及びスピーカである。
【００２４】
ここで、本発明のシステム100の動作が図1、2A及び2Bを参照して説明される。
利用可能である100個のテレビジョン放送チャンネルがあると仮定する。複数のビデオサーバ102が、ある適当な速度及び解像度で並びにある標準形式で、例えばJPEG、MPEG1又はMPEG4形式を使用して、これらのチャンネルを入力する。
【００２５】
ユーザがワイヤレス通信装置106又はパーソナルコンピュータ108でこれらのチャンネルのストリームを受信するには、2つの好適な選択肢がある。第１のものは、マルチキャストであり、ビデオサーバ102は、あるよく知られたIPアドレス104に入力された放送チャンネルストリームをマルチキャストする。適当なマルチキャストクライアントを有する受信手段は、これらのアドレスに「チューニング」し、ストリームを受信することができる。第２の選択肢は、ユニキャストであり、受信手段が放送チャンネルストリームを受信することができる前に、ビデオサーバ102と受信手段との間に専用の接続が確立される。両方の選択肢とも、公知技術であるインターネットビデオストリーミング技術によって実現されることができる。
【００２６】
従って、本発明の方法は、放送チャンネルを入力し、これら放送チャンネルを、好適には(ブロードバンド又はナローバンドの)インターネットを介して、インターネットを使用可能な装置にストリーミングする方法を提供する。例えば、ユーザがスーパーマーケットの勘定カウンターの列に立っていて、NBAの試合の得点を知りたく、また試合の一部を視聴したいときである。該ユーザは本発明のシステム100によって、移動電話又はPDA等のワイヤレス通信装置106を使用して、放送されているNBAの試合の低減された品質のバージョンを有するウェブサイト104にダイヤルアップすることができる。前記ワイヤレス通信装置は最初に、自身が位置している特定のセルを求めて基地局120と交信し、次に当該基地局はISP112と交信し、当該ISP112はインターネット110へのアクセスを提供し、最終的に、NBAの試合が放送されているインターネットアドレス104がアクセスされる。受信手段がパーソナルコンピュータ108である場合、当技術分野では周知のように、当該パーソナルコンピュータがISP 112を通じて直接インターネット110にアクセスする。
【００２７】
ここで図2A及び2Bを参照すると、図1のワイヤレス通信装置106が示されている。ユーザはこのときウェブブラウザ114から、NBAの試合を放送しているチャンネル124を選んで、そのチャンネルを起動させることができる。瞬時に、ユーザは適当な速度(例えば毎秒1フレーム)で、放送チャンネルを提供される。低減された品質の放送チャンネルを視聴する際には、ワイヤレス受信手段の場合には帯域幅要求を低く保つことが重要である。視聴の目的の１つは、定期的なテレビジョン視聴を補助することであるので(例えば、ユーザに他のチャンネルにおいて何が放送されているかをアップデートする)、より少ないが「キー」となるフレームが好適には受信手段に送信される。ビデオコンテンツの「キー」となるフレームを識別することは、公知技術である。
【００２８】
当業者は、本発明のシステムについては、ユーザは、テレビジョンのチューナの数によっては制限されることはなく、放送チャンネルをストリームするビデオサーバ102と受信手段との間のデータ効率によってのみ制限されると認識するであろう。
【００２９】
一旦インターネットアドレス104がウェブブラウザ114を介してアクセスされれば、ユーザは、インターネットアドレス104で利用可能なあらゆる放送チャンネルをブラウザ114で視聴することを選択することができる。更に、閲覧可能な放送チャンネルは、位置に限定されず、これは、ローカルサービスプロバイダによって提供されるプログラムを入力するに過ぎないPIPとは反対である。
【００３０】
本発明のシステム100では、ユーザは、図2Aのディスプレイ122に示されているように単一の放送チャンネルを視聴することができ、又はユーザは、受信器のディスプレイ122上の遅く変化しているチャンネルの複数の「サムネイル」126を有する図2Bに示すように、同時に複数の放送チャンネルを視聴することができる。
更にもう一つの変形例として、ブラウザ114は、所定の好ましい放送チャンネルを循環することができ、各チャンネルに数秒間留まるか又は次のチャンネルに循環するまでユーザからのプロンプトを待つことができる。
【００３１】
映画及び試合についての補足情報等の追加のサービスもまた、放送チャンネルのビデオストリームに加えてストリーミングすることができる。このとき補足的な情報は、低減された品質の放送チャンネルとともに表示されることができる。このような情報は、特定のチャンネルで現在放送されている映画の口頭の又は書面でのレビュー等の、オーディオ及び／又はビデオコンテンツの形であってもよい。補足的な情報が音声であり又はオーディオ成分を有する場合、好適には音声はパーソナルコンピュータ108又はワイヤレス通信装置106と一体になったスピーカ123によって再生される。
【００３２】
本発明の好適な実施例と考えられるものが示され説明されたが、当然、本発明の精神から逸脱することなく形式又は詳細についての種々の変形及び変化が容易に実行可能であることが理解されるであろう。従って、本発明は、説明及び図示された厳密な形式には制限されず、添付の請求項の範囲に入り得る全ての変形例をカバーするように構成されるべきであると意図される。
【図面の簡単な説明】
【図１】  放送チャンネルを視聴する本発明のシステムの好適な実現例を示す。
【図２Ａ】  １つの放送チャンネルが表示されている図1のワイヤレス通信装置を示す。
【図２Ｂ】  複数の放送チャンネルが表示されている図1のワイヤレス通信装置を示す。